(57)【要約】広帯域無線アクセスシステムにおいてプロトコルスタック層内での動作を明確にするために、移動局及び基地局内の上位管理層とＭＡＣ層間のプリミティブを定義することにより、移動局がハンドオーバーを実行できるようにする。このようなプリミティブを利用することにより、ＮＣＭＳとメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
2008533943.tif 000002
【特許請求の範囲】
【請求項１】
移動局（Ｍｏｂｉｌｅ  Ｓｔａｔｉｏｎ；ＭＳ）のネットワーク制御管理システム（Ｎｅｔｗｏｒｋ  Ｃｏｎｔｒｏｌ  Ｍａｎａｇｅｍｅｎｔ  Ｓｙｓｔｅｍ；ＮＣＭＳ）からハンドオーバー要求を示す第１プリミティブを受信する段階と、
ネットワークにハンドオーバー要求メッセージを送信する段階と、
前記ネットワークからハンドオーバー応答メッセージを受信する段階と、
前記ＭＳのＮＣＭＳにハンドオーバー確認を示す第２プリミティブを送信する段階と
を含むことを特徴とする移動局が開始するハンドオーバー実行方法。
【請求項２】
異なるタイプのネットワークのターゲットＰＯＡ（Ｐｏｉｎｔ−ｏｆ−Ａｔｔａｃｈｍｅｎｔ）を示す前記第１及び第２プリミティブを利用して、少なくとも１つのＰＯＡ間で異種ネットワークハンドオーバーを実行する段階をさらに含むことを特徴とする請求項１に記載の移動局が開始するハンドオーバー実行方法。
【請求項３】
前記ＭＳのＮＣＭＳからハンドオーバー実行指示要求を示す第３プリミティブを受信する段階と、
前記ネットワークにハンドオーバー指示メッセージを送信する段階と、
前記ＭＳのＮＣＭＳにハンドオーバー実行指示確認を示す第４プリミティブを送信する段階と
をさらに含むことを特徴とする請求項１に記載の移動局が開始するハンドオーバー実行方法。
【請求項４】
異なるタイプのネットワークのターゲットＰＯＡを示す前記第３及び第４プリミティブを利用して、少なくとも１つのＰＯＡ間で異種ネットワークハンドオーバーを実行する段階をさらに含むことを特徴とする請求項３に記載の移動局が開始するハンドオーバー実行方法。
【請求項５】
前記第１プリミティブ又は前記ハンドオーバー要求メッセージがターゲット候補を含むことを特徴とする請求項１に記載の移動局が開始するハンドオーバー実行方法。
【請求項６】
前記ターゲット候補が少なくとも１つのＰＯＡを含むことを特徴とする請求項５に記載の移動局が開始するハンドオーバー実行方法。
【請求項７】
前記ＰＯＡが基地局（Ｂａｓｅ  Ｓｔａｔｉｏｎ；ＢＳ）又はアクセスポイント（Ａｃｃｅｓｓ  Ｐｏｉｎｔ；ＡＰ）を含むことを特徴とする請求項６に記載の移動局が開始するハンドオーバー実行方法。
【請求項８】
前記第１プリミティブ又は前記ハンドオーバー要求メッセージが、推奨されるＰＯＡの数、ＰＯＡ識別子、該当ＰＯＡの無線信号品質、ＨＯモード、及び現在リンクアクションの少なくとも１つを含むことを特徴とする請求項１に記載の移動局が開始するハンドオーバー実行方法。
【請求項９】
前記ＨＯモードが、現在のリンクを遮断する前にＨＯを行うか、又はＨＯを行う前に現在のリンクを遮断するかを示すことを特徴とする請求項８に記載の移動局が開始するハンドオーバー実行方法。
【請求項１０】
前記現在リンクアクションが、現在のリンクの接続を断つか否か、前記リンクのパワーを下げるか否か、前記リンクのパワーダウンを行うか否か、前記リンクに対するいかなるアクションも行わないか否か、リンクリソース維持（ｌｉｎｋ  ｒｅｓｏｕｒｃｅ  ｒｅｔａｉｎ）を行うか否か、データフォワード要求（ｄａｔａ  ｆｏｒｗａｒｄｉｎｇ  ｒｅｑｕｅｓｔ）を行うか否か、バイキャスト要求（ｂｉ−ｃａｓｔｉｎｇ  ｒｅｑｕｅｓｔ）を行うか否か、又はハンドオフ取消（ｈａｎｄｏｆｆ  ｃａｎｃｅｌ）を行うか否かを示すことを特徴とする請求項８に記載の移動局が開始するハンドオーバー実行方法。
【請求項１１】
前記ハンドオーバー応答メッセージ又は前記第２プリミティブがターゲット候補を含むことを特徴とする請求項１に記載の移動局が開始するハンドオーバー実行方法。
【請求項１２】
前記ターゲット候補が少なくとも１つのＰＯＡを含むことを特徴とする請求項１１に記載の移動局が開始するハンドオーバー実行方法。
【請求項１３】
前記ＰＯＡが基地局（ＢＳ）又はアクセスポイント（ＡＰ）を含むことを特徴とする請求項１２に記載の移動局が開始するハンドオーバー実行方法。
【請求項１４】
前記ハンドオーバー応答メッセージ又は前記第２プリミティブが、推奨されるＰＯＡの数、ＨＯプロセス最適化（ＨＯ  ｐｒｏｃｅｓｓ  ｏｐｔｉｍｉｚａｔｉｏｎ）、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由（ＨＯ  ａｂｏｒｔ／ｆａｉｌ  ｒｅａｓｏｎ）の少なくとも１つを含むことを特徴とする請求項１に記載の移動局が開始するハンドオーバー実行方法。
【請求項１５】
前記ＨＯプロセス最適化が、ターゲットＰＯＡに対して以前のＩＰアドレスを使用できるか否かを示すことを特徴とする請求項１４に記載の移動局が開始するハンドオーバー実行方法。
【請求項１６】
前記ＨＯ  ＩＤが、改善されたＨＯ測距のために使用されるものであることを特徴をする請求項１４に記載の移動局が開始するハンドオーバー実行方法。
【請求項１７】
前記第３プリミティブ又は前記ハンドオーバー指示メッセージがターゲット候補を含むことを特徴とする請求項３に記載の移動局が開始するハンドオーバー実行方法。
【請求項１８】
前記ターゲット候補が少なくとも１つのＰＯＡを含むことを特徴とする請求項１７に記載の移動局が開始するハンドオーバー実行方法。
【請求項１９】
前記ＰＯＡが基地局（ＢＳ）又はアクセスポイント（ＡＰ）を含むことを特徴とする請求項１８に記載の移動局が開始するハンドオーバー実行方法。
【請求項２０】
前記第３プリミティブ又は前記ハンドオーバー指示メッセージがＨＯ指示タイプ（ＨＯ  ｉｎｄｉｃａｔｉｏｎ  ｔｙｐｅ）を含むことを特徴とする請求項３に記載の移動局が開始するハンドオーバー実行方法。
【請求項２１】
前記ＨＯ指示タイプがＨＯ、ＨＯ取消、又はＨＯ拒否を含むことを特徴とする請求項２０に記載の移動局が開始するハンドオーバー実行方法。
【請求項２２】
前記第３プリミティブ又は前記ハンドオーバー指示メッセージが、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す現在リンクアクションを含むことを特徴とする請求項３に記載の移動局が開始するハンドオーバー実行方法。
【請求項２３】
前記第４プリミティブが、前記ネットワークへのメッセージ送信結果の成功又は失敗を示す結果コードを含むことを特徴とする請求項３に記載の移動局が開始するハンドオーバー実行方法。
【請求項２４】
移動局（ＭＳ）のＭＡＣ（Ｍｅｄｉｕｍ  Ａｃｃｅｓｓ  Ｃｏｎｔｒｏｌ）層からハンドオーバー要求メッセージを受信する段階と、
ネットワークのＮＣＭＳにハンドオーバー実行指示を示す第１プリミティブを送信する段階と、
前記ネットワークのＮＣＭＳからハンドオーバー実行応答を示す第２プリミティブを受信する段階と、
前記ＭＳのＭＡＣ層にハンドオーバー応答メッセージを送信する段階と
を含むことを特徴とするネットワークが開始するハンドオーバー実行方法。
【請求項２５】
前記ネットワークのＮＣＭＳは、移動局の管理機能をサポートし、管理エンティティである独立したエンティティ内に存在する階層であることを特徴とする請求項２４に記載のネットワークが開始するハンドオーバー実行方法。
【請求項２６】
異なるタイプのネットワークのターゲットＰＯＡを示す前記第１及び第２プリミティブを利用して、少なくとも１つのＰＯＡ間で異種ネットワークハンドオーバーを実行する段階をさらに含むことを特徴とする請求項２４に記載のネットワークが開始するハンドオーバー実行方法。
【請求項２７】
前記第１プリミティブ又は前記ハンドオーバー要求メッセージがターゲット候補を含むことを特徴とする請求項２４に記載のネットワークが開始するハンドオーバー実行方法。
【請求項２８】
前記ターゲット候補が少なくとも１つのＰＯＡを含むことを特徴とする請求項２７に記載のネットワークが開始するハンドオーバー実行方法。
【請求項２９】
前記ＰＯＡが基地局（ＢＳ）又はアクセスポイント（ＡＰ）を含むことを特徴とする請求項２８に記載のネットワークが開始するハンドオーバー実行方法。
【請求項３０】
前記第１プリミティブ又は前記ハンドオーバー要求メッセージが、推奨されるＰＯＡの数、ＰＯＡ識別子、該当ＰＯＡの無線信号品質、ＨＯモード、及び現在リンクアクションの少なくとも１つを含むことを特徴とする請求項２４に記載のネットワークが開始するハンドオーバー実行方法。
【請求項３１】
前記ＨＯモードが、現在のリンクを遮断する前にＨＯを行うか、又はＨＯを行う前に現在のリンクを遮断するかを示すことを特徴とする請求項３０に記載のネットワークが開始するハンドオーバー実行方法。
【請求項３２】
前記現在リンクアクションが、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示すことを特徴とする請求項３０に記載のネットワークが開始するハンドオーバー実行方法。
【請求項３３】
前記ハンドオーバー応答メッセージ又は前記第２プリミティブがターゲット候補を含むことを特徴とする請求項２４に記載のネットワークが開始するハンドオーバー実行方法。
【請求項３４】
前記ターゲット候補が少なくとも１つのＰＯＡを含むことを特徴とする請求項３３に記載のネットワークが開始するハンドオーバー実行方法。
【請求項３５】
前記ＰＯＡが基地局（ＢＳ）又はアクセスポイント（ＡＰ）を含むことを特徴とする請求項３４に記載のネットワークが開始するハンドオーバー実行方法。
【請求項３６】
前記ハンドオーバー応答メッセージ又は前記第２プリミティブが、推奨されるＰＯＡの数、ＨＯプロセス最適化、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由の少なくとも１つを含むことを特徴とする請求項２４に記載のネットワークが開始するハンドオーバー実行方法。
【請求項３７】
前記ＨＯプロセス最適化が、ターゲットＰＯＡに対して以前のＩＰアドレスを使用できるか否かを示すことを特徴とする請求項３６に記載のネットワークが開始するハンドオーバー実行方法。
【請求項３８】
前記ＨＯ  ＩＤが、改善されたＨＯ測距のために使用されるものであることを特徴とする請求項３６に記載のネットワークが開始するハンドオーバー実行方法。
【請求項３９】
移動局（ＭＳ）のＮＣＭＳにハンドオーバー要求を示す第１プリミティブを送信する段階と、
前記ＭＳのＮＣＭＳからハンドオーバー確認を示す第２プリミティブを受信する段階と
を含むことを特徴とする移動局が開始するハンドオーバー実行方法。
【請求項４０】
異なるタイプのネットワークのターゲットＰＯＡを示す前記第１及び第２プリミティブを利用して、少なくとも１つのＰＯＡ間で異種ネットワークハンドオーバーを実行する段階をさらに含むことを特徴とする請求項３９に記載の移動局が開始するハンドオーバー実行方法。
【請求項４１】
前記受信段階の前に、必要に応じて前記第１プリミティブの再送信を行うために前記第２プリミティブの受信を保留する段階をさらに含むことを特徴とする請求項３９に記載の移動局が開始するハンドオーバー実行方法。
【請求項４２】
前記保留がタイマーを利用して行われることを特徴とする請求項４１に記載の移動局が開始するハンドオーバー実行方法。
【請求項４３】
前記第１プリミティブがターゲット候補を含むことを特徴とする請求項３９に記載の移動局が開始するハンドオーバー実行方法。
【請求項４４】
前記ターゲット候補が少なくとも１つのＰＯＡを含むことを特徴とする請求項４３に記載の移動局が開始するハンドオーバー実行方法。
【請求項４５】
前記ＰＯＡが基地局（ＢＳ）又はアクセスポイント（ＡＰ）を含むことを特徴とする請求項４４に記載の移動局が開始するハンドオーバー実行方法。
【請求項４６】
前記第１プリミティブが、推奨されるＰＯＡの数、ＰＯＡ識別子、該当ＰＯＡの無線信号品質、ＨＯモード、及び現在リンクアクションの少なくとも１つを含むことを特徴とする請求項３９に記載の移動局が開始するハンドオーバー実行方法。
【請求項４７】
前記ＨＯモードが、現在のリンクを遮断する前にＨＯを行うか、又はＨＯを行う前に現在のリンクを遮断するかを示すことを特徴とする請求項４６に記載の移動局が開始するハンドオーバー実行方法。
【請求項４８】
前記現在リンクアクションが、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示すことを特徴とする請求項４６に記載の移動局が開始するハンドオーバー実行方法。
【請求項４９】
前記第２プリミティブがターゲット候補を含むことを特徴とする請求項３９に記載の移動局が開始するハンドオーバー実行方法。
【請求項５０】
前記ターゲット候補が少なくとも１つのＰＯＡを含むことを特徴とする請求項４９に記載の移動局が開始するハンドオーバー実行方法。
【請求項５１】
前記ＰＯＡが基地局（ＢＳ）又はアクセスポイント（ＡＰ）を含むことを特徴とする請求項５０に記載の移動局が開始するハンドオーバー実行方法。
【請求項５２】
前記第２プリミティブが、推奨されるＰＯＡの数、ＨＯプロセス最適化、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由の少なくとも１つを含むことを特徴とする請求項３９に記載の移動局が開始するハンドオーバー実行方法。
【請求項５３】
前記ＨＯプロセス最適化が、ターゲットＰＯＡに対して以前のＩＰアドレスを使用できるか否かを示すことを特徴とする請求項５２に記載の移動局が開始するハンドオーバー実行方法。
【請求項５４】
前記ＨＯ  ＩＤが、改善されたＨＯ測距のために使用されるものであることを特徴とする請求項５２に記載の移動局が開始するハンドオーバー実行方法。
【請求項５５】
前記ＭＳのＮＣＭＳにハンドオーバー実行指示要求を示す第３プリミティブを送信する段階と、
前記ＭＳのＮＣＭＳからハンドオーバー実行指示確認を示す第４プリミティブを受信する段階と
をさらに含むことを特徴とする請求項３９に記載の移動局が開始するハンドオーバー実行方法。
【請求項５６】
異なるタイプのネットワークのターゲットＰＯＡを示す前記第３及び第４プリミティブを利用して、少なくとも１つのＰＯＡ間で異種ネットワークハンドオーバーを実行する段階をさらに含むことを特徴とする請求項５５に記載の移動局が開始するハンドオーバー実行方法。
【請求項５７】
前記第３プリミティブがターゲット候補を含むことを特徴とする請求項５５に記載の移動局が開始するハンドオーバー実行方法。
【請求項５８】
前記ターゲット候補が少なくとも１つのＰＯＡを含むことを特徴とする請求項５７に記載の移動局が開始するハンドオーバー実行方法。
【請求項５９】
前記ＰＯＡが基地局（ＢＳ）又はアクセスポイント（ＡＰ）を含むことを特徴とする請求項５８に記載の移動局が開始するハンドオーバー実行方法。
【請求項６０】
前記第３プリミティブがＨＯ指示タイプを含むことを特徴とする請求項５５に記載の移動局が開始するハンドオーバー実行方法。
【請求項６１】
前記ＨＯ指示タイプがＨＯ、ＨＯ取消、又はＨＯ拒否を含むことを特徴とする請求項６０に記載の移動局が開始するハンドオーバー実行方法。
【請求項６２】
前記第３プリミティブが、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す現在リンクアクションを含むことを特徴とする請求項５５に記載の移動局が開始するハンドオーバー実行方法。
【請求項６３】
前記第４プリミティブが、前記ネットワークへのメッセージ送信結果の成功又は失敗を示す結果コードを含むことを特徴とする請求項５５に記載の移動局が開始するハンドオーバー実行方法。
【請求項６４】
同種ネットワーク及び異種ネットワークの少なくとも一方へのメッセージ、並びに同種ネットワーク及び異種ネットワークの少なくとも一方からのメッセージを管理する移動局の上位層への統合されたインタフェースを設定する段階をさらに含むことを特徴とする請求項３９に記載の移動局が開始するハンドオーバー実行方法。
【請求項６５】
ネットワークのＮＣＭＳからハンドオーバー要求を示す第１プリミティブを受信する段階と、
前記ネットワークのＮＣＭＳにハンドオーバー確認を示す第２プリミティブを送信する段階と
を含むことを特徴とするネットワークが開始するハンドオーバー実行方法。
【請求項６６】
異なるタイプのネットワークのターゲットＰＯＡを示す前記第１及び第２プリミティブを利用して、少なくとも１つのＰＯＡ間で異種ネットワークハンドオーバーを実行する段階をさらに含むことを特徴とする請求項６５に記載のネットワークが開始するハンドオーバー実行方法。
【請求項６７】
前記第１プリミティブがターゲット候補を含むことを特徴とする請求項６５に記載のネットワークが開始するハンドオーバー実行方法。
【請求項６８】
前記ターゲット候補が少なくとも１つのＰＯＡを含むことを特徴とする請求項６７に記載のネットワークが開始するハンドオーバー実行方法。
【請求項６９】
前記ＰＯＡが基地局（ＢＳ）又はアクセスポイント（ＡＰ）を含むことを特徴とする請求項６８に記載のネットワークが開始するハンドオーバー実行方法。
【請求項７０】
前記第１プリミティブが、推奨されるＰＯＡの数、ＰＯＡ識別子、該当ＰＯＡの無線信号品質、ＨＯモード、及び現在リンクアクションの少なくとも１つを含むことを特徴とする請求項６５に記載のネットワークが開始するハンドオーバー実行方法。
【請求項７１】
前記ＨＯモードが、現在のリンクを遮断する前にＨＯを行うか、又はＨＯを行う前に現在のリンクを遮断するかを示すことを特徴とする請求項７０に記載のネットワークが開始するハンドオーバー実行方法。
【請求項７２】
前記現在リンクアクションが、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示すことを特徴とする請求項７０に記載のネットワークが開始するハンドオーバー実行方法。
【請求項７３】
前記第２プリミティブがターゲット候補を含むことを特徴とする請求項６５に記載のネットワークが開始するハンドオーバー実行方法。
【請求項７４】
前記ターゲット候補が少なくとも１つのＰＯＡを含むことを特徴とする請求項７３に記載のネットワークが開始するハンドオーバー実行方法。
【請求項７５】
前記ＰＯＡが基地局（ＢＳ）又はアクセスポイント（ＡＰ）を含むことを特徴とする請求項７４に記載のネットワークが開始するハンドオーバー実行方法。
【請求項７６】
前記第２プリミティブが、推奨されるＰＯＡの数、ＨＯプロセス最適化、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由の少なくとも１つを含むことを特徴とする請求項６５に記載のネットワークが開始するハンドオーバー実行方法。
【請求項７７】
前記ＨＯプロセス最適化が、ターゲットＰＯＡに対して以前のＩＰアドレスを使用できるか否かを示すことを特徴とする請求項７６に記載のネットワークが開始するハンドオーバー実行方法。
【請求項７８】
前記ＨＯ  ＩＤが、改善されたＨＯ測距のために使用されるものであることを特徴とする請求項７６に記載のネットワークが開始するハンドオーバー実行方法。
【請求項７９】
同種ネットワーク及び異種ネットワークの少なくとも一方へのメッセージ、並びに同種ネットワーク及び異種ネットワークの少なくとも一方からのメッセージを管理するネットワークの上位層への統合されたインタフェースを設定する段階をさらに含むことを特徴とする請求項６５に記載のネットワークが開始するハンドオーバー実行方法。
【発明の詳細な説明】
【技術分野】
【０００１】
本発明は広帯域無線アクセスシステムに関し、特に、効率的なハンドオーバーを実行できるように、移動局内のプロトコルスタック及び基地局内のプロトコルスタックに使用されるプリミティブを明確に定義する方法に関する。
【背景技術】
【０００２】
広帯域無線アクセスシステムの国際標準化を行っているＩＥＥＥ８０２．１６ｅのシステムは、既存の２Ｇ、３Ｇ移動通信システムのようにＨＬＲ（Ｈｏｍｅ  Ｌｏｃａｔｉｏｎ  Ｒｅｇｉｓｔｅｒ）、ＶＬＲ（Ｖｉｓｉｔｏｒ  Ｌｏｃａｔｉｏｎ  Ｒｅｇｉｓｔｅｒ）、ＭＳＣ（Ｍｏｂｉｌｅ  Ｓｗｉｔｃｈｉｎｇ  Ｃｅｎｔｅｒ）、ＢＳＣ（Ｂａｓｅ  Ｓｔａｔｉｏｎ  Ｃｏｎｔｒｏｌｌｅｒ）、ＲＮＣ（Ｒａｄｉｏ  Ｎｅｔｗｏｒｋ  Ｃｏｎｔｒｏｌｌｅｒ）などの階層構造を有するのではなく、ＭＳＳ（Ｍｏｂｉｌｅ  Ｓｕｂｓｃｒｉｂｅｒ  Ｓｔａｔｉｏｎ）、ＢＳ（Ｂａｓｅ  Ｓｔａｔｉｏｎ）、及びＡＳＡ（Ａｕｔｈｅｎｔｉｃａｔｉｏｎ  Ｓｅｒｖｉｃｅ  Ａｕｔｈｏｒｉｚａｔｉｏｎ）のみから構成される。
【０００３】
広帯域無線アクセスシステムは、基地局と移動局（ＭＳＳ）間で共通した媒体アクセス制御（Ｍｅｄｉｕｍ  Ａｃｃｅｓｓ  Ｃｏｎｔｒｏｌ；ＭＡＣ）層及び物理（ＰＨＹｓｉｃａｌ；ＰＨＹ）層のプロトコルを定義する。図１は広帯域無線アクセスシステムのプロトコル層構造を示す図である。
【０００４】
以下、従来技術において、移動端末が１つの基地局から他の基地局にハンドオーバーを実行するための手順を説明する。
【０００５】
１）セル選択（Ｃｅｌｌ  Ｓｅｌｅｃｔｉｏｎ）
移動局は、サービング基地局によりブロードキャストされる隣接基地局広告メッセージ（例えば、ＭＯＢ＿ＮＢＲ−ＡＤＶ）、又はスキャニングを用いて、隣接基地局に関する情報を取得することができる。
【０００６】
２）ハンドオーバー決定及び初期化（Ｈａｎｄｏｖｅｒ  Ｄｅｃｉｓｉｏｎ  ａｎｄ  Ｉｎｉｔｉａｔｉｏｎ）
移動局の他の基地局へのハンドオーバーを実行するための決定は、移動局又は現在のサービング基地局により初期化することができる。
【０００７】
３）ターゲット基地局スキャニング（Ｔａｒｇｅｔ  ＢＳ  Ｓｃａｎｎｉｎｇ）
移動局は、ダウンリンク及びアップリンクチャネル、並びにこれらの同期化のために、ターゲット基地局のスキャニングを行わなければならない。
【０００８】
４）ネットワークリエントリ（Ｎｅｔｗｏｒｋ  Ｒｅ−ｅｎｔｒｙ）
移動局とターゲット基地局は、移動局のネットワークリエントリを可能にするために、測距を行わなければならない。
【０００９】
５）サービス終了（Ｔｅｒｍｉｎａｔｉｏｎ  ｏｆ  Ｓｅｒｖｉｃｅ）
移動局は、他の基地局にハンドオーバーを実行した後、以前の基地局との全てのサービスを終了する。
【００１０】
以下、従来技術において、ハンドオーバーに関するメッセージについて説明する。
【００１１】
１）ＭＯＢ＿ＭＳＨＯ−ＲＥＱメッセージ
移動局は、ハンドオーバーを要求するために、基地局にＭＯＢ＿ＭＳＨＯ−ＲＥＱメッセージを送信する。ＭＯＢ＿ＭＳＨＯ−ＲＥＱメッセージは、移動局により推奨されるハンドオーバーのためのターゲット基地局のＩＤ、プリアンブルインデックス値、ＣＩＮＲ値、ＨＯ−ＩＤなどを含む。
【００１２】
２）ＭＯＢ＿ＢＳＨＯ−ＲＳＰメッセージ
基地局は、移動局からＭＯＢ＿ＭＳＨＯ−ＲＥＱメッセージを受信した後、これに対する応答としてＭＯＢ＿ＢＳＨＯ−ＲＳＰメッセージを移動局に送信する。
【００１３】
３）ＭＯＢ＿ＢＳＨＯ−ＲＥＱメッセージ
これは、他の基地局へのハンドオーバーを要求するために、基地局が現在基地局自身に接続されている移動局に送信するメッセージである。ＭＯＢ＿ＢＳＨＯ−ＲＥＱメッセージは、基地局が推奨する隣接基地局に関する情報を含む。
【００１４】
４）ＭＯＢ＿ＨＯ−ＩＮＤメッセージ
これは、移動局がＭＯＢ＿ＢＳＨＯ−ＲＳＰ又はＭＯＢ＿ＢＳＨＯ−ＲＥＱメッセージを受信し、最終的にハンドオーバーを実行するターゲット基地局を決定した後、現在のサービング基地局との接続を解除し、他の基地局にハンドオーバーを実行しようとするときに送信される。
【００１５】
図２は従来の広帯域無線アクセスシステムにおけるハンドオーバー実行の手順を示す図である。
【００１６】
（１）移動局は、スキャニング手順及び隣接基地局ブロードキャストメッセージにより、隣接基地局に関する情報を取得する。
【００１７】
（２）移動局は、現在のサービング基地局にハンドオーバーを要求するための要求メッセージを送信する。このとき、スキャニング手順により取得された情報に基づく候補基地局（Ｒｅｃｏｍｍｅｎｄｅｄ  ＢＳ）を含めて送信する。
【００１８】
（３）現在のサービング基地局は、その要求メッセージを受信した後、候補基地局に移動局識別子、要求される帯域、及び接続パラメータなどの値を含むハンドオーバー事前通知（ＨＯ−ｐｒｅ−ｎｏｔｉｆｉｃａｔｉｏｎ）メッセージを送信する。
【００１９】
（４）これに対する応答として、候補基地局は、ハンドオーバー事前通知応答（ＨＯ−ｐｒｅ−ｎｏｔｉｆｉｃａｔｉｏｎ−ｒｓｐ）メッセージを送信する。
【００２０】
（５）現在のサービング基地局は、候補基地局の応答メッセージを点検した後、移動局に適したターゲット基地局を決定し、そのターゲット基地局にハンドオーバー確認（ＨＯ−ｃｏｎｆｉｒｍ）メッセージを送信し、移動局にハンドオーバー応答（ＭＯＢ−ＨＯ−ＲＳＰ）メッセージを送信する。
【００２１】
（６）移動局は、ハンドオーバーを実行するために、基地局に最終的にＭＯＢ＿ＨＯ−ｉｎｄｉｃａｔｉｏｎメッセージを送信する。
【００２２】
（７）移動局は、ハンドオーバーする基地局との測距を行う。
【発明の開示】
【発明が解決しようとする課題】
【００２３】
前述のように、従来技術においては、移動局がスキャニングを行うために基地局と送受信するメッセージは定義されているが、実際にスキャニングに関連する動作は、移動局内のプロトコルスタック（層）及び基地局内のプロトコルスタック（層）について定義されていない。すなわち、移動局及び基地局のプロトコルスタック内でネットワーク制御管理システム（Ｎｅｔｗｏｒｋ  Ｃｏｎｔｒｏｌ  Ｍａｎａｇｅｍｅｎｔ  Ｓｙｓｔｅｍ；ＮＣＭＳ）を介してＭＡＣ層と上位管理エンティティ間で伝達される情報に関するプリミティブが定義されていない。
【課題を解決するための手段】
【００２４】
本発明の一態様は前述のような従来技術の問題に対する本発明者らの認識に関する。このような従来技術の問題を解決するために、本発明は、移動局がハンドオーバーを実行できるように、広帯域無線アクセスシステムにおいてプロトコルスタック層内での動作を明確にするために、上位管理層とＭＡＣ層間のプリミティブを定義する方法を提供する。
【発明の効果】
【００２５】
本発明によれば、移動局が本発明により定義されたプリミティブを利用してハンドオーバーを実行すると、プロトコルスタック層内での正確な動作を実現できる。従って、このようなプリミティブを利用することにより、直接又は間接的方式でＮＣＭＳとメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
【発明を実施するための最良の形態】
【００２６】
本発明は８０２．１６ｅネットワークなどの広帯域無線アクセスシステムで実現されると記述されている。しかし、本発明は他のタイプの通信規格（例えば、８０２．１６ｇ、８０２．２１、８０２．１１ｕなど）に準拠した通信システムでも適用及び実現できる。これは本発明の概念及び内容は共通した技術に基づいて類似した方式で動作する多様な通信スキームに適用できるためである。以下、添付の図面を参照して本発明の実施形態を説明する。しかし、本発明は本実施形態に限定されるものではない。
【００２７】
また、本発明の所定の態様においてはエンティティ、インタフェース、プリミティブ、メッセージなどの特定名称に関して記述する。しかし、このような名称に限定されず、その機能が本発明の教示に該当するものであれば他の名称（ラベル、用語など）でも使用できることを当業者であれば明確に理解するであろう。
【００２８】
本発明は、プリミティブがＭＡＣ層からＮＣＭＳを介して必要な上位管理エンティティに伝達されることにより、以前にシステム（移動局又は基地局）を管理又は制御していたエンティティがＭＡＣ層とＰＨＹ層を管理できるようにする方法を提供する。特に、移動局がスキャニングを行うとき、移動局及び基地局内のプロトコルスタックでＮＣＭＳを介してＭＡＣ層と上位管理エンティティ間で伝達されなければならないプリミティブを定義する方法を提供する。
【００２９】
ここで、「管理エンティティ」とは、ＮＣＭＳとインタフェースする全てのエンティティをいい、これは機器内のＩＰ層又はその上位層にある論理的な管理エンティティ又は物理的な管理エンティティを含む。本発明の動作は、ＮＣＭＳを介して上位管理エンティティから管理ＳＡＰ（Ｍａｎａｇｅｍｅｎｔ  ＳＡＰ；Ｍ−ＳＡＰ）又は制御ＳＡＰ（Ｃｏｎｔｒｏｌ  ＳＡＰ；Ｃ−ＳＡＰ）に通信が行われるので、ＮＣＭＳが直接プリミティブを送るように表現される。
【００３０】
本発明において上位管理エンティティとは、図１に示すようなプロトコルスタック内の階層管理エンティティの上位に位置し、ＮＣＭＳ又は階層管理エンティティの管理ＳＡＰを介して通信される物理的な上位管理エンティティ又は論理的な上位管理エンティティに区分される。上位管理エンティティは、特定プロトコルスタック内に存在することもでき、別途の独立したシステム又はスタックとして存在することもできるが、概念的に上位管理エンティティという用語を使用する。
【００３１】
図３はメディア独立ハンドオーバー（ＭＩＨ）を考慮したプロトコル構造モデルを示す図である。
【００３２】
本発明において提案されるプリミティブは管理ＳＡＰ（Ｍ−ＳＡＰ）又は制御ＳＡＰ（Ｃ−ＳＡＰ）を介してＮＣＭＳに伝達され、ＮＣＭＳはそのプリミティブを上位管理エンティティを含めて必要な所に伝達することができる。
【００３３】
Ｍ−ＳＡＰは、システム構成、モニタリング統計（ｍｏｎｉｔｏｒｉｎｇ  ｓｔａｔｉｓｔｉｃｓ）、通知／トリガなどの機能を有するが、これに限定されるものではない。Ｃ−ＳＡＰは、ハンドオーバー（例えば、移動局のハンドオーバー要求通知など）、アイドルモード移動性管理（例えば、移動局のアイドルモード移行）、加入者及びセッション管理（例えば、移動局のセッション設定要求）、無線リソース管理などの機能を有するが、これに限定されるものではない。本発明のプリミティブは、その機能別に区分することができ、前記Ｍ−ＳＡＰ及び／又はＣ−ＳＡＰを介して伝達することができる。
【００３４】
図４及び図５は本発明によるプリミティブ動作原理を示す図である。遠隔エンティティとの相互作用を要するプリミティブは図４に示し、ローカルスタック内でのみ伝達されるプリミティブは図５に示す。
【００３５】
図４に示すように、遠隔エンティティとの相互作用がある場合は、「要求」と「確認」、「応答」と「指示」で互いに対をなして行われる。
【００３６】
図５に示すように、ローカルスタック内で動作が行われる場合は、管理エンティティとＮＣＭＳ間の相互交換（双方向動作）と単方向動作の２つの場合があり得る。双方向動作の場合、管理エンティティからＭ−ＳＡＰ／Ｃ−ＳＡＰを介したＮＣＭＳへの伝達は「要求」といい、それに対して伝送される応答は「指示」という。単方向動作の場合、管理エンティティからＭ−ＳＡＰ／Ｃ−ＳＡＰを介したＮＣＭＳへの伝達は「要求」といい、反対方向への単方向伝達は「指示」という。
【００３７】
本発明によるプリミティブは、管理エンティティが該当モードを指示するマルチモードの移動局の場合、又は該当モードが全てのマルチモードを管理するエンティティに情報を伝達する場合に使用できる。この場合は次の２つの場合に区分できる。
【００３８】
第１は、ＭＩＨ層又はＭＩＨ機能から下位層にプリミティブを送信する場合であり、ＭＩＨ（層又は機能）は、上位層から受信した情報（コマンドなど）を解析して該当プリミティブを送信することもでき、上位層の情報（コマンド）を本発明の情報（コマンド）とマッピングして伝送することもできる。
【００３９】
第２は、下位層からＭＩＨ層又はＭＩＨ機能にプリミティブを送信する場合であり、ＭＩＨ（層又は機能）は、下位層から受信したプリミティブを解析して上位に送る該当プリミティブ（ＭＩＨで定義する統一されたプリミティブ）を伝送することもでき、下位層のプリミティブを上位に送るプリミティブと単純にマッピングして送信することもできる。
【００４０】
ＭＩＨに使用されるときには、ＮＣＭＳとＭＩＨ間のＳＡＰ又は管理エンティティとＭＩＨ間のＳＡＰを介して本発明で定義されたプリミティブが伝達され、ＭＩＨ技術が可能になる。
【００４１】
広帯域無線アクセスシステムにおけるハンドオーバー実行方法は、移動局のＭＡＣ層がサービング基地局からハンドオーバー要求メッセージを受信する段階と、前記移動局のＭＡＣ層が前記サービング基地局からのハンドオーバー要求メッセージに含まれる情報を第１プリミティブにより上位管理エンティティに伝達する段階と、前記上位管理エンティティが前記移動局のＭＡＣ層に第２プリミティブを伝達して応答する段階と、前記移動局のＭＡＣ層が前記サービング基地局にハンドオーバー要求メッセージを送信し、ターゲット基地局にハンドオーバーを実行する段階とを含む。
【００４２】
広帯域無線アクセスシステムにおけるハンドオーバー実行方法は、前記サービング基地局のＭＡＣ層が上位管理エンティティに第３プリミティブを伝達して前記移動局が他の基地局にハンドオーバーしたことを通知する段階と、前記移動局の上位管理エンティティが前記移動局のＭＡＣ層に第４プリミティブを伝達して前記移動局が前記ターゲット基地局にネットワークリエントリ過程を行うように指示する段階と、前記移動局のＭＡＣ層が前記ターゲット基地局にＲＮＧ−ＲＥＱメッセージを送信する段階と、前記ターゲット基地局のＭＡＣ層が前記ＲＮＧ−ＲＥＱメッセージを受信した後、前記ＲＮＧ−ＲＥＱメッセージに含まれる情報を第５プリミティブにより前記ターゲット基地局の上位管理エンティティに伝達する段階と、前記ターゲット基地局の上位管理エンティティが第６プリミティブを伝達して応答する段階と、前記ターゲット基地局が前記移動局のＭＡＣ層にＲＮＧ−ＲＳＰメッセージを送信する段階と、前記移動局のＭＡＣ層が前記ＲＮＧ−ＲＳＰメッセージを受信した後、前記ＲＮＧ−ＲＳＰメッセージに含まれる情報を第７プリミティブにより前記移動局の上位管理エンティティに伝達する段階とを含む。
【００４３】
基地局と送受信するＭＡＣメッセージ及び本発明で提案するプリミティブを利用して移動局がハンドオーバーを実行できるようにするために、移動局及び基地局内での上位管理エンティティとＭＡＣ層間で行われる動作を説明する実施形態を図６及び図７を参照して説明する。
【００４４】
図６は本発明の一実施形態を示すフローチャートであり、移動局がＭＯＢ＿ＭＳＨＯ−ＲＥＱメッセージを利用して基地局にハンドオーバーを要求した場合の実施形態である。
【００４５】
移動局の上位管理エンティティは、ＮＣＭＳを介してＭ＿ＭＡＣＨａｎｄｏｖｅｒ．ｒｅｑｕｅｓｔを前記移動局のＭＡＣ層に送信して［Ｓ５１］、サービング基地局ＢＳ１のＭＡＣ層にＭＯＢ＿ＭＳＨＯ−ＲＥＱメッセージを送信するように前記移動局のＭＡＣ層に指示する。前記移動局のＭＡＣ層は、前記サービング基地局ＢＳ１のＭＡＣ層にＭＯＢ＿ＭＳＨＯ−ＲＥＱメッセージを送信する［Ｓ５２］。
【００４６】
前記サービング基地局のＭＡＣ層は、Ｍ＿ＭＡＣＨａｎｄｏｖｅｒ．ｉｎｄｉｃａｔｉｏｎプリミティブを伝達することにより、前記移動局のハンドオーバー要求を前記サービング基地局の上位管理エンティティに通知する［Ｓ５３］。前記サービング基地局の上位管理エンティティは、前記移動局のハンドオーバー要求に対する結果を前記サービング基地局のＭＡＣ層に通知するために、Ｍ＿ＭＡＣＨａｎｄｏｖｅｒ．ｒｅｓｐｏｎｓｅプリミティブを伝達する［Ｓ５４］。前記サービング基地局のＭＡＣ層は、前記移動局のＭＡＣ層にＭＯＢ＿ＢＳＨＯ−ＲＳＰメッセージを送信する［Ｓ５５］。
【００４７】
前記移動局のＭＡＣ層は、前記移動局の上位管理エンティティにハンドオーバー要求結果を通知するために、Ｍ＿ＭＡＣＨａｎｄｏｖｅｒ．ｃｏｎｆｉｒｍａｔｉｏｎプリミティブを伝達する［Ｓ５６］。前記移動局の上位管理エンティティは、最終的にハンドオーバーを実行するターゲット基地局を決定した後、これを前記移動局のＭＡＣ層に通知するために、Ｍ＿ＨＯＩＮＤ．ｒｅｑｕｅｓｔプリミティブを伝達する［Ｓ５７］。前記移動局のＭＡＣ層は、前記サービング基地局にＭＯＢ＿ＨＯ−ＩＮＤメッセージを送信し［Ｓ５８］、ターゲット基地局ＢＳ２にハンドオーバーを実行する。
【００４８】
前記移動局のＭＡＣ層は、Ｍ＿ＨＯＩＮＤ．ｃｏｎｆｉｒｍａｔｉｏｎプリミティブを前記移動局の上位管理エンティティに伝達して、前記ＭＯＢ＿ＨＯ−ＩＮＤメッセージ送信に対する結果を前記移動局の上位管理エンティティに通知する［Ｓ５９］。前記移動局の上位管理エンティティは、前記移動局のＭＡＣ層にＭ＿Ｒａｎｇｉｎｇ．ｒｅｑｕｅｓｔプリミティブを伝達して［Ｓ６０］、前記移動局がターゲット基地局にネットワークリエントリ過程を行うように指示する。
【００４９】
前記移動局のＭＡＣ層は、ターゲット基地局にＲＮＧ−ＲＥＱメッセージを送信する［Ｓ６１］。前記ターゲット基地局のＭＡＣ層は、前記ＲＮＧ−ＲＥＱメッセージを受信した後、前記ＲＮＧ−ＲＥＱメッセージに含まれる情報をＭ＿Ｒａｎｇｉｎｇ．ｉｎｄｉｃａｔｉｏｎプリミティブにより前記ターゲット基地局の上位管理エンティティに伝達する［Ｓ６２］。前記ターゲット基地局の上位管理エンティティは、これに対してＭ＿Ｒａｎｇｉｎｇ．ｒｅｓｐｏｎｓｅプリミティブを伝達して応答する［Ｓ６３］。前記ターゲット基地局は、前記移動局のＭＡＣ層にＲＮＧ−ＲＳＰメッセージを送信する［Ｓ６４］。前記移動局のＭＡＣ層は、前記ＲＮＧ−ＲＳＰメッセージを受信した後、前記ＲＮＧ−ＲＳＰメッセージに含まれる情報をＭ＿Ｒａｎｇｉｎｇ．ｃｏｎｆｉｒｍａｔｉｏｎプリミティブにより前記移動局の上位管理エンティティに伝達する［Ｓ６５］。
【００５０】
図７は本発明の他の実施形態を示すフローチャートであり、基地局がＭＯＢ＿ＢＳＨＯ−ＲＥＱメッセージを利用して移動局にハンドオーバーを要求する場合の実施形態である。
【００５１】
サービング基地局ＢＳ１の上位管理エンティティは、サービング基地局ＢＳ１のＭＡＣ層にＭ＿ＭＡＣＨａｎｄｏｖｅｒ．ｒｅｑｕｅｓｔプリミティブを伝達して［Ｓ７１］、サービング基地局ＢＳ１のＭＡＣ層が移動局にハンドオーバー要求メッセージを送信するように指示する。前記サービング基地局のＭＡＣ層は、前記移動局にＭＯＢ＿ＢＳＨＯ−ＲＥＱメッセージを送信する［Ｓ７２］。前記移動局のＭＡＣ層は、前記サービング基地局のハンドオーバー要求メッセージをＭ＿ＭＡＣＨａｎｄｏｖｅｒ．ｉｎｄｉｃａｔｉｏｎプリミティブにより前記移動局の上位管理エンティティに伝達する［Ｓ７３］。前記移動局の上位管理エンティティは、前記移動局のＭＡＣ層にＭ＿ＭＡＣＨａｎｄｏｖｅｒ．ｒｅｓｐｏｎｓｅプリミティブを伝達して応答する［Ｓ７４］。前記移動局のＭＡＣ層は、前記サービング基地局にＭＯＢ＿ＨＯ−ＩＮＤメッセージを送信し［Ｓ７５］、ターゲット基地局ＢＳ２にハンドオーバーを実行する。
【００５２】
前記サービング基地局のＭＡＣ層は、前記サービング基地局の上位管理エンティティにＭ＿ＭＡＣＨａｎｄｏｖｅｒ．ｃｏｎｆｉｒｍａｔｉｏｎプリミティブを伝達して［Ｓ７６］、前記移動局が他の基地局にハンドオーバーしたことを通知する。
【００５３】
前記移動局の上位管理エンティティは、前記移動局のＭＡＣ層にＭ＿Ｒａｎｇｉｎｇ．ｒｅｑｕｅｓｔプリミティブを伝達して、前記移動局が前記ターゲット基地局にネットワークリエントリ過程を行うように指示する［Ｓ７７］。前記移動局のＭＡＣ層は、前記ターゲット基地局にＲＮＧ−ＲＥＱメッセージを送信する［Ｓ７８］。
【００５４】
前記ターゲット基地局のＭＡＣ層は、前記ＲＮＧ−ＲＥＱメッセージを受信した後、前記ＲＮＧ−ＲＥＱメッセージに含まれる情報をＭ＿Ｒａｎｇｉｎｇ．ｉｎｄｉｃａｔｉｏｎプリミティブにより前記ターゲット基地局の上位管理エンティティに伝達する［Ｓ７９］。前記ターゲット基地局の上位管理エンティティは、これに対してＭ＿Ｒａｎｇｉｎｇ．ｒｅｓｐｏｎｓｅプリミティブを伝達して応答する［Ｓ８０］。前記ターゲット基地局は、前記移動局のＭＡＣ層にＲＮＧ−ＲＳＰメッセージを送信する［Ｓ８１］。前記移動局のＭＡＣ層は、前記ＲＮＧ−ＲＳＰメッセージを受信した後、前記ＲＮＧ−ＲＳＰメッセージに含まれる情報をＭ＿Ｒａｎｇｉｎｇ．ｃｏｎｆｉｒｍａｔｉｏｎプリミティブにより前記移動局の上位管理エンティティに伝達する［Ｓ８２］。
【００５５】
以下、図６及び図７を参照して説明したように、移動局又は基地局が要求したハンドオーバーを実行するために管理ＳＡＰ（Ｍａｎａｇｅｍｅｎｔ  ＳＡＰ；Ｍ＿ＳＡＰ）又は制御ＳＡＰ（Ｃｏｎｔｒｏｌ  ＳＡＰ；Ｃ＿ＳＡＰ）を介して伝送するプリミティブについて詳細に説明する。
【００５６】
（１）Ｍ＿ＭＡＣＨａｎｄｏｖｅｒ．ｒｅｑｕｅｓｔプリミティブ
１）機能
Ｍ＿ＭＡＣＨａｎｄｏｖｅｒ．ｒｅｑｕｅｓｔプリミティブは、移動局の上位管理エンティティが、基地局にハンドオーバー要求メッセージを送信するように移動局のＭＡＣ層に指示するために伝送するものである。
【００５７】
２）セマンティクス
Ｍ＿ＭＡＣＨａｎｄｏｖｅｒ．ｒｅｑｕｅｓｔ
｛
Ｓｏｕｒｃｅ，
Ｄｅｓｔｉｎａｔｉｏｎ，
Ｎ＿Ｒｅｃｏｍｍｅｎｄｅｄ
Ｎｅｉｇｈｂｏｒ  ＢＳ  ＩＤ，
ＢＳ  ＣＩＮＲ  Ｍｅａｎ，
Ｃｕｒｒｅｎｔ  ｌｉｎｋ  ｉｄｅｎｔｉｆｉｅｒ，
ＨａｎｄｏｖｅｒＭｏｄｅ，
Ｃｕｒｒｅｎｔ  ｌｉｎｋ  ａｃｔｉｏｎ
｝
下記の表はＭ＿ＭＡＣＨａｎｄｏｖｅｒ．ｒｅｑｕｅｓｔプリミティブのデータフォーマットの一例を示すものである。
【００５８】
【表１】
2008533943.tif 000003
３）生成時点
Ｍ＿ＭＡＣＨａｎｄｏｖｅｒ．ｒｅｑｕｅｓｔプリミティブは、移動局の上位管理エンティティがＭＡＣ層にハンドオーバー要求メッセージ（ＭＯＢ＿ＭＳＨＯ−ＲＥＱ）を基地局に伝送するように指示する場合に生成される。
【００５９】
４）受信時の効果
移動局のＭＡＣ層は、Ｍ＿ＭＡＣＨａｎｄｏｖｅｒ．ｒｅｑｕｅｓｔプリミティブを受信した後、現在接続中の基地局にＭＯＢ＿ＭＳＨＯ−ＲＥＱメッセージを送信する。
【００６０】
（２）Ｍ＿ＭＡＣＨａｎｄｏｖｅｒ．ｉｎｄｉｃａｔｉｏｎプリミティブ
１）機能
Ｍ＿ＭＡＣＨａｎｄｏｖｅｒ．ｉｎｄｉｃａｔｉｏｎプリミティブは、基地局のＭＡＣ層が移動端末からのハンドオーバー要求を基地局の上位管理エンティティに伝達するために使用するものである。
【００６１】
２）セマンティクス
Ｍ＿ＭＡＣＨａｎｄｏｖｅｒ．ｉｎｄｉｃａｔｉｏｎ
｛
Ｓｏｕｒｃｅ，
Ｄｅｓｔｉｎａｔｉｏｎ，
ＭＳ  ＭＡＣ  Ａｄｄｒｅｓｓ，
Ｎ＿Ｒｅｃｏｍｍｅｎｄｅｄ，
Ｎｅｉｇｈｂｏｒ  ＢＳ  ＩＤ，
ＢＳ  ＣＩＮＲ  Ｍｅａｎ，
Ｃｕｒｒｅｎｔ  ｌｉｎｋ  ｉｄｅｎｔｉｆｉｅｒ，
ＨａｎｄｏｖｅｒＭｏｄｅ，
Ｃｕｒｒｅｎｔ  ｌｉｎｋ  ａｃｔｉｏｎ
｝
下記の表はＭ＿ＭＡＣＨａｎｄｏｖｅｒ．ｉｎｄｉｃａｔｉｏｎプリミティブのデータフォーマットの一例を示すものである。
【００６２】
【表２】
2008533943.tif 000004
３）生成時点
Ｍ＿ＭＡＣＨａｎｄｏｖｅｒ．ｉｎｄｉｃａｔｉｏｎプリミティブは、基地局のＭＡＣ層が移動局からＭＯＢ＿ＭＳＨＯ−ＲＥＱメッセージを受信した後、これを基地局の上位管理エンティティに伝達する場合に生成される。
【００６３】
４）受信時の効果
基地局の上位管理エンティティは、Ｍ＿ＭＡＣＨａｎｄｏｖｅｒ．ｉｎｄｉｃａｔｉｏｎプリミティブを受信した後、ターゲット基地局とのバックボーンメッセージを利用して移動局のハンドオーバーのために推奨される基地局を決定する。
【００６４】
（３）Ｍ＿ＭＡＣＨａｎｄｏｖｅｒ．ｒｅｓｐｏｎｓｅプリミティブ
１）機能
Ｍ＿ＭＡＣＨａｎｄｏｖｅｒ．ｒｅｓｐｏｎｓｅプリミティブは、基地局の上位管理エンティティが基地局のＭＡＣ層に移動局のハンドオーバー要求に対する結果を伝達するように指示するために使用するものである。
【００６５】
２）セマンティクス
Ｍ＿ＭＡＣＨａｎｄｏｖｅｒ．ｒｅｓｐｏｎｓｅ
｛
Ｓｏｕｒｃｅ，
Ｄｅｓｔｉｎａｔｉｏｎ，
Ｎ＿Ｒｅｃｏｍｍｅｎｄｅｄ，
Ｎｅｉｇｈｂｏｒ  ＢＳ  ＩＤ，
ＨＯ  Ｐｒｏｃｅｓｓ  Ｏｐｔｉｍｉｚａｔｉｏｎ，
ＨＯＩＤ
｝
下記の表はＭ＿ＭＡＣＨａｎｄｏｖｅｒ．ｒｅｓｐｏｎｓｅプリミティブのデータフォーマットの一例を示すものである。
【００６６】
【表３】
2008533943.tif 000005
３）生成時点
Ｍ＿ＭＡＣＨａｎｄｏｖｅｒ．ｒｅｓｐｏｎｓｅプリミティブは、基地局の上位管理エンティティが移動局のハンドオーバー要求に対する結果を基地局のＭＡＣ層に伝達する場合に生成される。
【００６７】
４）受信時の効果
基地局のＭＡＣ層は、Ｍ＿ＭＡＣＨａｎｄｏｖｅｒ．ｒｅｓｐｏｎｓｅプリミティブを受信した後、移動局にＭＯＢ＿ＢＳＨＯ−ＲＳＰメッセージを送信する。
【００６８】
（４）Ｍ＿ＭＡＣＨａｎｄｏｖｅｒ．ｃｏｎｆｉｒｍａｔｉｏｎプリミティブ
１）機能
Ｍ＿ＭＡＣＨａｎｄｏｖｅｒ．ｃｏｎｆｉｒｍａｔｉｏｎプリミティブは、移動局のＭＡＣ層が基地局から受信したハンドオーバー要求に対する結果を移動局の上位管理エンティティに伝達するために使用するものである。
【００６９】
２）セマンティクス
Ｍ＿ＭＡＣＨａｎｄｏｖｅｒ．ｃｏｎｆｉｒｍａｔｉｏｎ
｛
Ｓｏｕｒｃｅ，
Ｄｅｓｔｉｎａｔｉｏｎ，
Ｎ＿Ｒｅｃｏｍｍｅｎｄｅｄ，
Ｎｅｉｇｈｂｏｒ  ＢＳ  ＩＤ，
ＨＯ  Ｐｒｏｃｅｓｓ  Ｏｐｔｉｍｉｚａｔｉｏｎ，
ＨＯＩＤ，
Ｃｕｒｒｅｎｔ  ｌｉｎｋ  ｉｄｅｎｔｉｆｉｅｒ，
ＨａｎｄｏｖｅｒＡｃｋ
｝
下記の表はＭ＿ＭＡＣＨａｎｄｏｖｅｒ．ｃｏｎｆｉｒｍａｔｉｏｎプリミティブのデータフォーマットの一例を示すものである。
【００７０】
【表４】
2008533943.tif 000006
３）生成時点
Ｍ＿ＭＡＣＨａｎｄｏｖｅｒ．ｃｏｎｆｉｒｍａｔｉｏｎプリミティブは、移動局のＭＡＣ層が基地局からＭＯＢ＿ＢＳＨＯ−ＲＳＰメッセージを受信した後、ハンドオーバー要求結果を移動局の上位管理エンティティに伝達する場合に生成される。
【００７１】
４）受信時の効果
移動局の上位管理エンティティは、Ｍ＿ＭＡＣＨａｎｄｏｖｅｒ．ｃｏｎｆｉｒｍａｔｉｏｎプリミティブを受信した後、ターゲット基地局へのハンドオーバーを実行するか否かを決定する。
【００７２】
（５）Ｍ＿ＨＯＩＮＤ．ｒｅｑｕｅｓｔプリミティブ
１）機能
Ｍ＿ＨＯＩＮＤ．ｒｅｑｕｅｓｔプリミティブは、移動局の上位管理エンティティが最終のハンドオーバーを実行するターゲット基地局を決定した後、前記ターゲット基地局に関してＭＡＣ層に通知するために使用するものである。
【００７３】
２）セマンティクス
Ｍ＿ＨＯＩＮＤ．ｒｅｑｕｅｓｔ
｛
Ｓｏｕｒｃｅ，
Ｄｅｓｔｉｎａｔｉｏｎ，
ＨＯ＿ＩＮＤ＿ｔｙｐｅ，
Ｔａｒｇｅｔ＿ＢＳ＿ＩＤ
Ｃｕｒｒｅｎｔ  ｌｉｎｋ  ａｃｔｉｏｎ
｝
下記の表はＭ＿ＨＯＩＮＤ．ｒｅｑｕｅｓｔプリミティブのデータフォーマットの一例を示すものである。
【００７４】
【表５】
2008533943.tif 000007
３）生成時点
Ｍ＿ＨＯＩＮＤ．ｒｅｑｕｅｓｔプリミティブは、移動局の上位管理エンティティがターゲット基地局を決定した後、ＭＡＣ層に前記ターゲット基地局へのハンドオーバーを実行するように指示する場合に生成される。
【００７５】
４）受信時の効果
移動局のＭＡＣ層は、前記Ｍ＿ＨＯＩＮＤ．ｒｅｑｕｅｓｔプリミティブを受信した後、基地局にＭＯＢ＿ＨＯ−ＩＮＤメッセージを送信し、「ＨＯ＿ＩＮＤ＿ｔｙｐｅ」がハンドオーバーを示す場合、移動局はターゲット基地局へのハンドオーバーを実行する。
【００７６】
（６）Ｍ＿ＨＯＩＮＤ．ｃｏｎｆｉｒｍａｔｉｏｎプリミティブ
１）機能
Ｍ＿ＨＯＩＮＤ．ｃｏｎｆｉｒｍａｔｉｏｎプリミティブは、移動局のＭＡＣ層が基地局にＭＯＢ＿ＨＯ−ＩＮＤメッセージを送信した後、これを上位管理エンティティに通知するために使用するものである。
【００７７】
２）セマンティクス
Ｍ＿ＨＯＩＮＤ．ｃｏｎｆｉｒｍａｔｉｏｎ
｛
Ｓｏｕｒｃｅ，
Ｄｅｓｔｉｎａｔｉｏｎ，
ＲｅｓｕｌｔＣｏｄｅ，
Ｃｕｒｒｅｎｔ  ｌｉｎｋ  ａｃｔｉｏｎ，
ＨａｎｄｏｖｅｒＳｔａｔｕｓ
｝
下記の表はＭ＿ＨＯＩＮＤ．ｃｏｎｆｉｒｍａｔｉｏｎプリミティブのデータフォーマットの一例を示すものである。
【００７８】
【表６】
2008533943.tif 000008
３）生成時点
Ｍ＿ＨＯＩＮＤ．ｃｏｎｆｉｒｍａｔｉｏｎプリミティブは、移動局のＭＡＣ層が基地局にＭＯＢ＿ＨＯ−ＩＮＤメッセージを送信した後、これに対する結果を移動局の上位管理エンティティに伝送する場合に生成される。
【００７９】
４）受信時の効果
上位管理エンティティは、前記Ｍ＿ＨＯＩＮＤ．ｃｏｎｆｉｒｍａｔｉｏｎプリミティブを受信した後、ＭＯＢ＿ＨＯ−ＩＮＤメッセージの送信に成功したか否かが分かる。
【００８０】
（７）Ｍ＿Ｒａｎｇｉｎｇ．ｒｅｑｕｅｓｔプリミティブ
１）機能
Ｍ＿Ｒａｎｇｉｎｇ．ｒｅｑｕｅｓｔプリミティブは、測距を要求するために使用するものである。移動局の上位管理エンティティは、前記Ｍ＿Ｒａｎｇｉｎｇ．ｒｅｑｕｅｓｔプリミティブを利用してＭＡＣ層に測距を行うように要求できる。
【００８１】
２）セマンティクス
Ｍ＿Ｒａｎｇｉｎｇ．ｒｅｑｕｅｓｔ
｛
ＲａｎｇｉｎｇＴｙｐｅ
｝
下記の表はＭ＿Ｒａｎｇｉｎｇ．ｒｅｑｕｅｓｔプリミティブのデータフォーマットの一例を示すものである。
【００８２】
【表７】
2008533943.tif 000009
３）生成時点
Ｍ＿Ｒａｎｇｉｎｇ．ｒｅｑｕｅｓｔプリミティブは、ハンドオーバー実行後に初期段階でネットワークに接続するために、アイドルモードの端末が位置更新を行うか、アイドルモードでネットワーク接続を試みるか、又は周期的に測距を行う場合、上位管理エンティティにより生成される。
【００８３】
４）受信時の効果
上位管理エンティティは、Ｍ＿Ｒａｎｇｉｎｇ．ｒｅｑｕｅｓｔプリミティブを受信したとき、「ＲａｎｇｉｎｇＴｙｐｅ」に応じて必要な該当ＴＬＶ（Ｔｙｐｅ  Ｌｅｎｇｔｈ  Ｖａｌｕｅ）を含め、エアインタフェースを介してＲＮＧ−ＲＥＱ  ＭＡＣ管理メッセージ又は測距ＣＤＭＡコードを送信する測距を行う。
【００８４】
（８）Ｍ＿Ｒａｎｇｉｎｇ．ｉｎｄｉｃａｔｉｏｎプリミティブ
１）機能
Ｍ＿Ｒａｎｇｉｎｇ．ｉｎｄｉｃａｔｉｏｎプリミティブは、上位管理エンティティへの測距要求をＭＡＣ管理メッセージにより受信したことを通知するために使用するものである。
【００８５】
２）セマンティクス
Ｍ＿Ｒａｎｇｉｎｇ．ｉｎｄｉｃａｔｉｏｎ
｛
ＭＳ  Ａｄｄｒｅｓｓ，
ＣＤＭＡ  Ｃｏｄｅ，
ＭＡＣ  Ｖｅｒｓｉｏｎ，
Ｒｅｑｕｉｒｅｄ  Ｄｏｗｎｌｉｎｋ  Ｂｕｒｓｔ  Ｐｒｏｆｉｌｅ，
Ｓｅｒｖｉｎｇ  ＢＳ  ＩＤ，
Ｔａｒｇｅｔ  ＢＳ  ＩＤ，
ＨＯ  Ｉｎｄｉｃａｔｉｏｎ，
Ｌｏｃａｔｉｏｎ  Ｕｐｄａｔｅ  Ｒｅｑｕｅｓｔ，
Ｐａｇｉｎｇ  Ｃｏｎｔｒｏｌｌｅｒ  ＩＤ
｝
下記の表はＭ＿Ｒａｎｇｉｎｇ．ｉｎｄｉｃａｔｉｏｎプリミティブのデータフォーマットの一例を示すものである。
【００８６】
【表８】
2008533943.tif 000010
３）生成時点
Ｍ＿Ｒａｎｇｉｎｇ．ｉｎｄｉｃａｔｉｏｎプリミティブは、エアインタフェースを介してＭＡＣ層がＲＮＧ−ＲＥＱ又は測距コードを受信するときに生成される。
【００８７】
４）受信時の効果
ＭＡＣ層は受信した測距要求を分析して測距に対する応答としてＭ＿Ｒａｎｇｉｎｇ．ｒｅｓｐｏｎｓｅプリミティブを生成する。
【００８８】
（９）Ｍ＿Ｒａｎｇｉｎｇ．ｒｅｓｐｏｎｓｅプリミティブ
１）機能
Ｍ＿Ｒａｎｇｉｎｇ．ｒｅｓｐｏｎｓｅプリミティブは、測距要求の結果を通知するために使用するものである。
【００８９】
２）セマンティクス
Ｍ＿Ｒａｎｇｉｎｇ．ｒｅｓｐｏｎｓｅ
｛
ＭＳＡｄｄｒｅｓｓ，
ＲｅｓｕｌｔＣｏｄｅ，
ＭａｎａｇｅｍｅｎｔＣＩＤｓ，
Ｒｅｓｏｕｒｃｅ  Ｒｅｔａｉｎ  Ｆｌａｇ，
ＨＯ  Ｐｒｏｃｅｓｓ  Ｏｐｔｉｍｉｚａｔｉｏｎ，
Ｌｏｃａｔｉｏｎ  Ｕｐｄａｔｅ  Ｒｅｓｐｏｎｓｅ，
Ｐａｇｉｎｇ  Ｉｎｆｏｒｍａｔｉｏｎ，
Ｐａｇｉｎｇ  Ｃｏｎｔｒｏｌｌｅｒ  ＩＤ，
Ｎｅｘｔ  Ｐｅｒｉｏｄｉｃ  Ｒａｎｇｉｎｇ
｝
下記の表はＭ＿Ｒａｎｇｉｎｇ．ｒｅｓｐｏｎｓｅプリミティブのデータフォーマットの一例を示すものである。
【００９０】
【表９】
2008533943.tif 000011
３）生成時点
Ｍ＿Ｒａｎｇｉｎｇ．ｒｅｓｐｏｎｓｅプリミティブは、Ｍ＿Ｒａｎｇｉｎｇ．ｉｎｄｉｃａｔｉｏｎプリミティブを受信した後、その結果を通知することに決定した時点に生成される。
【００９１】
４）受信時の効果
ＭＡＣ層がＭ＿Ｒａｎｇｉｎｇ．ｉｎｄｉｃａｔｉｏｎプリミティブにより受信したパラメータを含むＲＮＧ−ＲＳＰ及びＭＡＣ管理メッセージを送信する。
【００９２】
（１０）Ｍ＿Ｒａｎｇｉｎｇ．ｃｏｎｆｉｒｍａｔｉｏｎプリミティブ
１）機能
Ｍ＿Ｒａｎｇｉｎｇ．ｃｏｎｆｉｒｍａｔｉｏｎプリミティブは、上位管理エンティティに測距の応答メッセージに含まれる結果を通知する。
【００９３】
２）セマンティクス
Ｍ＿Ｒａｎｇｉｎｇ．ｃｏｎｆｉｒｍａｔｉｏｎ
｛
ＭＳＡｄｄｒｅｓｓ，
ＲｅｓｕｌｔＣｏｄｅ，
ＭａｎａｇｅｍｅｎｔＣＩＤｓ，
Ｒｅｓｏｕｒｃｅ  Ｒｅｔａｉｎ  Ｆｌａｇ，
ＨＯ  Ｐｒｏｃｅｓｓ  Ｏｐｔｉｍｉｚａｔｉｏｎ，
Ｌｏｃａｔｉｏｎ  Ｕｐｄａｔｅ  Ｒｅｓｐｏｎｓｅ，
Ｐａｇｉｎｇ  Ｉｎｆｏｒｍａｔｉｏｎ，
Ｐａｇｉｎｇ  Ｃｏｎｔｒｏｌｌｅｒ  ＩＤ，
Ｎｅｘｔ  Ｐｅｒｉｏｄｉｃ  Ｒａｎｇｉｎｇ
｝
下記の表はＭ＿Ｒａｎｇｉｎｇ．ｃｏｎｆｉｒｍａｔｉｏｎプリミティブのデータフォーマットの一例を示すものである。
【００９４】
【表１０】
2008533943.tif 000012
３）生成時点
Ｍ＿Ｒａｎｇｉｎｇ．ｃｏｎｆｉｒｍａｔｉｏｎプリミティブは、エアインタフェースを介してＭＡＣ層がＲＮＧ−ＲＳＰを受信するときに生成される。
【００９５】
４）受信時の効果
上位管理エンティティに測距の実行結果が通知される。
【００９６】
前記様々な特徴を実現するために、本発明は、様々なタイプのハードウェア及び／又はソフトウェア構成要素（モジュール）を備える。例えば、様々なハードウェアモジュールは、広帯域無線アクセスシステムでスキャニングを行うための方法の段階を行うために要求される様々な回路及び構成要素を含む。また、（プロセッサ及び／又は他のハードウェアにより実行される）様々なソフトウェアモジュールは、本発明の方法の段階を行うために要求される様々なコード及びプロトコルを含む。
【００９７】
本発明は、ハンドオーバー（ＭＳ  ＭＡＣの観点）のために移動局が開始するハンドオーバー実行方法を提供するが、前記方法は、移動局（ＭＳ）のＮＣＭＳからハンドオーバー要求を示す第１プリミティブを受信する段階と、ネットワークにハンドオーバー要求メッセージを送信する段階と、前記ネットワークからハンドオーバー応答メッセージを受信する段階と、前記ＭＳのＮＣＭＳにハンドオーバー確認を示す第２プリミティブを送信する段階とを含む。前記方法は、異なるタイプのネットワークのターゲットＰＯＡ（Ｐｏｉｎｔ−ｏｆ−Ａｔｔａｃｈｍｅｎｔ）を示す前記第１及び第２プリミティブを利用して、少なくとも１つのＰＯＡ間で異種ネットワークハンドオーバーを実行する段階をさらに含む。前記方法は、前記ＭＳのＮＣＭＳからハンドオーバー実行指示要求を示す第３プリミティブを受信する段階と、前記ネットワークにハンドオーバー指示メッセージを送信する段階と、前記ＭＳのＮＣＭＳにハンドオーバー実行指示確認を示す第４プリミティブを送信する段階とをさらに含む。前記方法は、異なるタイプのネットワークのターゲットＰＯＡを示す前記第３及び第４プリミティブを利用して、少なくとも１つのＰＯＡ間で異種ネットワークハンドオーバーを実行する段階をさらに含む。前記第１プリミティブ又は前記ハンドオーバー要求メッセージはターゲット候補を含む。前記ターゲット候補は少なくとも１つのＰＯＡを含む。前記ＰＯＡは基地局（ＢＳ）又はアクセスポイント（ＡＰ）を含む。前記第１プリミティブは、推奨されるＰＯＡの数、ＰＯＡ識別子（例えば、ＭＡＣアドレス）、該当ＰＯＡの無線信号品質（例えば、ＣＩＮＲ  ｍｅａｎ、ＲＳＳＩなど）、ＨＯモード、及び現在リンクアクション（ｃｕｒｒｅｎｔ  ｌｉｎｋ  ａｃｔｉｏｎ）の少なくとも１つを含む。前記ＨＯモードは、現在のリンクを遮断する前にＨＯを行うか、又はＨＯを行う前に現在のリンクを遮断するかを示す。前記現在リンクアクションは、現在のリンクの接続を断つか否か、前記リンクのパワーを下げるか否か、前記リンクのパワーダウンを行うか否か、前記リンクに対するいかなるアクションも行わないか否か、リンクリソース維持（ｌｉｎｋ  ｒｅｓｏｕｒｃｅ  ｒｅｔａｉｎ）を行うか否か、データフォワード要求（ｄａｔａ  ｆｏｒｗａｒｄｉｎｇ  ｒｅｑｕｅｓｔ）を行うか否か、バイキャスト要求（ｂｉ−ｃａｓｔｉｎｇ  ｒｅｑｕｅｓｔ）を行うか否か、又はハンドオフ取消（ｈａｎｄｏｆｆ  ｃａｎｃｅｌ）を行うか否かを示す。前記ハンドオーバー応答メッセージ又は前記第２プリミティブはターゲット候補を含む。前記ターゲット候補は少なくとも１つのＰＯＡを含む。前記ＰＯＡは基地局（ＢＳ）又はアクセスポイント（ＡＰ）を含む。前記ハンドオーバー応答メッセージ又は前記第２プリミティブは、推奨されるＰＯＡの数、ＨＯプロセス最適化（ＨＯ  ｐｒｏｃｅｓｓ  ｏｐｔｉｍｉｚａｔｉｏｎ）、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由（ＨＯ  ａｂｏｒｔ／ｆａｉｌ  ｒｅａｓｏｎ）の少なくとも１つを含む。前記ＨＯプロセス最適化は、ターゲットＰＯＡに対して以前のＩＰアドレスを使用できるか否かを示す。前記ＨＯ  ＩＤは改善されたＨＯ測距のために使用されるものである。前記第３プリミティブ又は前記ハンドオーバー指示メッセージはターゲット候補を含む。前記ターゲット候補は少なくとも１つのＰＯＡを含む。前記ＰＯＡは基地局（ＢＳ）又はアクセスポイント（ＡＰ）を含む。前記第３プリミティブ又は前記ハンドオーバー指示メッセージはＨＯ指示タイプ（ＨＯ  ｉｎｄｉｃａｔｉｏｎ  ｔｙｐｅ）を含む。前記ＨＯ指示タイプはＨＯ、ＨＯ取消、又はＨＯ拒否を含む。前記第３プリミティブ又は前記ハンドオーバー指示メッセージは、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す現在リンクアクションを含む。前記第４プリミティブは、前記ネットワークへのメッセージ送信結果の成功又は失敗を示す結果コードを含む。
【００９８】
本発明は、ハンドオーバー（ネットワーク／ＢＳ  ＮＣＭＳの観点）のためにネットワークが開始するハンドオーバー実行方法を提供するが、前記方法は、移動局（ＭＳ）のＭＡＣ層からハンドオーバー要求メッセージを受信する段階と、ネットワークのＮＣＭＳにハンドオーバー実行指示を示す第１プリミティブを送信する段階と、前記ネットワークのＮＣＭＳからハンドオーバー実行応答を示す第２プリミティブを受信する段階と、前記ＭＳのＭＡＣ層にハンドオーバー応答メッセージを送信する段階とを含む。前記ネットワークのＮＣＭＳは、移動局の管理機能をサポートし、管理エンティティである独立したエンティティ内に存在する階層である。前記方法は、異なるタイプのネットワークのターゲットＰＯＡを示す前記第１及び第２プリミティブを利用して、少なくとも１つのＰＯＡ間で異種ネットワークハンドオーバーを実行する段階をさらに含む。前記第１プリミティブ又は前記ハンドオーバー要求メッセージはターゲット候補を含む。前記ターゲット候補は少なくとも１つのＰＯＡを含む。前記ＰＯＡは基地局（ＢＳ）又はアクセスポイント（ＡＰ）を含む。前記第１プリミティブ又は前記ハンドオーバー要求メッセージは、推奨されるＰＯＡの数、ＰＯＡ識別子、該当ＰＯＡの無線信号品質、ＨＯモード、及び現在リンクアクションの少なくとも１つを含む。前記ＨＯモードは、現在のリンクを遮断する前にＨＯを行うか、又はＨＯを行う前に現在のリンクを遮断するかを示す。前記現在リンクアクションは、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す。前記ハンドオーバー応答メッセージ又は前記第２プリミティブはターゲット候補を含む。前記ターゲット候補は少なくとも１つのＰＯＡを含む。前記ＰＯＡは基地局（ＢＳ）又はアクセスポイント（ＡＰ）を含む。前記ハンドオーバー応答メッセージ又は前記第２プリミティブは、推奨されるＰＯＡの数、ＨＯプロセス最適化、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由の少なくとも１つを含む。前記ＨＯプロセス最適化は、ターゲットＰＯＡに対して以前のＩＰアドレスを使用できるか否かを示す。前記ＨＯ  ＩＤは改善されたＨＯ測距のために使用されるものである。
【００９９】
本発明は、ハンドオーバー（ＭＳ  ＭＩＨの観点）のために移動局が開始するハンドオーバー実行方法を提供し、前記方法は、移動局（ＭＳ）のＮＣＭＳにハンドオーバー要求を示す第１プリミティブを送信する段階と、前記ＭＳのＮＣＭＳからハンドオーバー確認を示す第２プリミティブを受信する段階とを含む。前記方法は、異なるタイプのネットワークのターゲットＰＯＡを示す前記第１及び第２プリミティブを利用して、少なくとも１つのＰＯＡ間で異種ネットワークハンドオーバーを実行する段階をさらに含む。前記方法は、前記受信段階の前に、必要に応じて前記第１プリミティブの再送信を行うために前記第２プリミティブの受信を保留する段階をさらに含む。このような保留はタイマーを利用して行われる。前記第１プリミティブはターゲット候補を含む。前記ターゲット候補は少なくとも１つのＰＯＡを含む。前記ＰＯＡは基地局（ＢＳ）又はアクセスポイント（ＡＰ）を含む。前記第１プリミティブは、推奨されるＰＯＡの数、ＰＯＡ識別子、該当ＰＯＡの無線信号品質、ＨＯモード、及び現在リンクアクションの少なくとも１つを含む。前記ＨＯモードは、現在のリンクを遮断する前にＨＯを行うか、又はＨＯを行う前に現在のリンクを遮断するかを示す。前記現在リンクアクションは、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す。前記第２プリミティブはターゲット候補を含む。前記ターゲット候補は少なくとも１つのＰＯＡを含む。前記ＰＯＡは基地局（ＢＳ）又はアクセスポイント（ＡＰ）を含む。前記第２プリミティブは、推奨されるＰＯＡの数、ＨＯプロセス最適化、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由の少なくとも１つを含む。前記ＨＯプロセス最適化は、ターゲットＰＯＡに対して以前のＩＰアドレスを使用できるか否かを示す。前記ＨＯ  ＩＤは改善されたＨＯ測距のために使用されるものである。前記方法は、前記ＭＳのＮＣＭＳにハンドオーバー実行指示要求を示す第３プリミティブを送信する段階と、前記ＭＳのＮＣＭＳからハンドオーバー実行指示確認を示す第４プリミティブを受信する段階とをさらに含む。前記方法は、異なるタイプのネットワークのターゲットＰＯＡを示す前記第３及び第４プリミティブを利用して、少なくとも１つのＰＯＡ間で異種ネットワークハンドオーバーを実行する段階をさらに含む。前記第３プリミティブはターゲット候補を含む。前記ターゲット候補は少なくとも１つのＰＯＡを含む。前記ＰＯＡは基地局（ＢＳ）又はアクセスポイント（ＡＰ）を含む。前記第３プリミティブはＨＯ指示タイプを含む。前記ＨＯ指示タイプはＨＯ、ＨＯ取消、又はＨＯ拒否を含む。前記第３プリミティブは、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す現在リンクアクションを含む。前記第４プリミティブは、前記ネットワークへのメッセージ送信結果の成功又は失敗を示す結果コードを含む。前記方法は、同種ネットワーク及び異種ネットワークの少なくとも一方へのメッセージ、並びに同種ネットワーク及び異種ネットワークの少なくとも一方からのメッセージを管理する移動局の上位層への統合されたインタフェースを設定する段階をさらに含む。
【０１００】
本発明は、ハンドオーバー（ネットワークＭＩＨの観点）のためにネットワークが開始するハンドオーバー実行方法を提供し、前記方法は、ネットワークのＮＣＭＳからハンドオーバー要求を示す第１プリミティブを受信する段階と、前記ネットワークのＮＣＭＳにハンドオーバー確認を示す第２プリミティブを送信する段階とを含む。前記方法は、異なるタイプのネットワークのターゲットＰＯＡを示す前記第１及び第２プリミティブを利用して、少なくとも１つのＰＯＡ間で異種ネットワークハンドオーバーを実行する段階をさらに含む。前記第１プリミティブはターゲット候補を含む。前記ターゲット候補は少なくとも１つのＰＯＡを含む。前記ＰＯＡは基地局（ＢＳ）又はアクセスポイント（ＡＰ）を含む。前記第１プリミティブは、推奨されるＰＯＡの数、ＰＯＡ識別子、該当ＰＯＡの無線信号品質、ＨＯモード、及び現在リンクアクションの少なくとも１つを含む。前記ＨＯモードは、現在のリンクを遮断する前にＨＯを行うか、又はＨＯを行う前に現在のリンクを遮断するかを示す。前記現在リンクアクションは、現在のリンクの接続を断つか否か、前記リンクのパワーを下げるか否か、前記リンクのパワーダウンを行うか否か、前記リンクに対するいかなるアクションも行わないか否か、リンクリソース維持を行うか否か、データフォワード要求を行うか否か、バイキャスト要求を行うか否か、又はハンドオフ取消を行うか否かを示す。前記第２プリミティブはターゲット候補を含む。前記ターゲット候補は少なくとも１つのＰＯＡを含む。前記ＰＯＡは基地局（ＢＳ）又はアクセスポイント（ＡＰ）を含む。前記第２プリミティブは、推奨されるＰＯＡの数、ＨＯプロセス最適化、ＨＯ  ＩＤ、ＰＯＡ識別子、該当ＰＯＡの無線信号品質、リンクリソース維持、データフォワード要求、バイキャスト要求、ハンドオフ取消、及びＨＯ中断／失敗理由の少なくとも１つを含む。前記ＨＯプロセス最適化は、ターゲットＰＯＡに対して以前のＩＰアドレスを使用できるか否かを示す。前記ＨＯ  ＩＤは改善されたＨＯ測距のために使用されるものである。前記方法は、同種ネットワーク及び異種ネットワークの少なくとも一方へのメッセージ、並びに同種ネットワーク及び異種ネットワークの少なくとも一方からのメッセージを管理するネットワークの上位層への統合されたインタフェースを設定する段階をさらに含む。
【０１０１】
本明細書は本発明の様々な実施形態を記述している。特許請求の範囲は本明細書に開示されている実施形態の多様な修正及び同等の装置を全てカバーできるものである。従って、特許請求の範囲は開示されている発明の精神及び範囲内で修正、同等の構造、及び特徴をカバーできるように広範囲に解釈されるべきである。
【図面の簡単な説明】
【０１０２】
本発明の理解を助けるために添付され、本明細書の一部を構成する図面は、本発明の多様な実施形態を示し、明細書と共に本発明の原理を説明する。
【図１】広帯域無線アクセスシステムのプロトコル層構造を示す図である。
【図２】従来の広帯域無線アクセスシステムにおけるハンドオーバー実行の手順を示す図である。
【図３】メディア独立ハンドオーバー（ＭＩＨ）を考慮したプロトコル構造モデルを示す図である。
【図４】本発明によるプリミティブ動作原理を示す図である。
【図５】本発明によるプリミティブ動作原理を示す図である。
【図６】本発明の一実施形態を示すフローチャートである。
【図７】本発明の他の実施形態を示すフローチャートである。
【図１】
2008533943.tif 000013
【図２】
2008533943.tif 000014
【図３】
2008533943.tif 000015
【図４】
2008533943.tif 000016
【図５】
2008533943.tif 000017
【図６】
2008533943.tif 000018
【図７】
2008533943.tif 000019
【国際調査報告】
2008533943.tif 000020
2008533943.tif 000021